(57)【特許請求の範囲】
【請求項１】
金物基体の一端にフックの一端が枢着され、
フックは、金物基体に沿う退避位置から、自重により又はバネ付勢力により特定の一方向に回動して側方に開くようになされていると共に、この回動によって側方に開くとそれ以上の回動を規制されて固定されるようになされており、
この金物基体には更に、ボルトが、金物基体の他端側から軸線方向の外方に突出するよう螺合されて、このボルトの回転により、ボルト頭部と金物基体との間の間隔距離が大小変化するようになされており、
ボルトの外周部には、ボルト頭部と金物基体との間に介在して、座金部材が備えられ、フックを側方に開かせた状態で、ボルトを回転し、ボルト頭部と金物基体との間の間隔距離を小さくしていくことにより、固定する対象が、座金部材とフックとで挟み込まれるものとなされていることを特徴とする固定金物。
【請求項２】
前記座金部材と金物基体とが、軸線方向に接近・離反自在でありながら相対的な自由回転を規制された状態となるように連結ないしは係合されている請求項１に記載の固定金物。
【発明の詳細な説明】
【０００１】
【発明の属する技術分野】
本発明は、建築分野などにおいて用いられる固定金物に関する。
【０００２】
【従来の技術】
鉄骨床梁の上フランジ上に設置したＡＬＣ版などの床パネルを、床パネルの上側から、床梁の上フランジに固定できるようにすることを目的の一つとした固定金物を、本出願人は以前に提案した（特開平１０−１８３８３４号）。
【０００３】
この固定金物は、上下方向を向く軸体を備え、この軸体の下端部にはフックの一端が枢着されている。このフックは、軸体に沿う退避位置から自重によって特定の一方向に回動して側方に開くようになっており、回動で側方に開いた状態になると、それ以上の回動を規制されて固定されるようになっている。そして、軸体の上端部の外周には雄ネジが形成されており、そこにナットを螺合するようになっている。軸体の外周には、ナットとフックとの間に介在して座金部材が備えられる。
【０００４】
この固定金物によれば、次のようにして、床パネルを床梁の上フランジに固定することができる。即ち、床パネルには、予め、上フランジの縁から幾分外方に離れた位置において、上下方向に貫通する孔をあけておく。孔は、その上端側が径大に形成されていて、孔内には、上方を向く環状の段面が備えられている。作業は、固定金物のフックを軸体に沿う退避位置に位置させた状態にし、この固定金物を、床パネルの上から、孔内に差し込んでいく。この差し込みによって、座金部材は孔内の環状段面に当接される。フックは、孔を越えて床パネルの下側に出ると、自重により回動を起こし、側方に開いて、上フランジの直下に位置するようになる。この状態で、軸体上端部のナットを回転し、座金部材とフックとで、床梁の上フランジと床パネルとを挟み込んで締め付けることにより、床パネルは床梁に固定される。
【０００５】
【発明が解決しようとする課題】
しかしながら、上記の固定金物には、次のような問題があった。即ち、フックは、床パネルの孔の下方にその全体が出た状態となってはじめて、軸体に沿う退避状態から、回動を起こし、側方に開くことになる。そのため、その状態では、フックと床梁の下フランジとの間隔距離はかなり離れている。
【０００６】
仮に、この状態から軸体上端部に螺合させたナットを回転させていき、床パネルと床梁の上フランジとを締付け状態にしたとすると、軸体はナットの上方に大きく突出してしまい、その結果、軸体の上端部が床パネルの上面を越えて上方に突出してしまうことになる。
【０００７】
そうならないようにするため、上記の固定金物では、実は、軸体の長さ寸法が、フックを床梁の上フランジの下面高さ位置に位置させた状態で、床パネルの孔から上方に突出しないような比較的短い長さ寸法に設計されている。しかし、それだけでは、軸体の長さが不足し、フックを床パネルの下面側で回動させて側方に開かせることができない。そこで、軸体の上端面には吊り用の線材が連結されている。この吊り線を手にもって軸体を吊りながら床パネルの孔に差し込んでいき、軸体の上端面を、孔内の環状の段面の高さ位置よりも深く落とし込んで、フックを床パネルの下方で回動させて側方に突出させ、しかる後、吊り線を引き上げていって、軸体の上端部を孔内の環状の段面より上に位置させ、その状態で、はじめて軸体にナットを螺合させ、締め付けを行うようになっている。なお、固定後は、吊り線は折り曲げられて孔内に収められることになる。
【０００８】
つまり、上記の固定金具では、床パネルを床梁の上フランジに固定した状態で、床パネルの上方に軸体が突出しないようにするために、吊り線が固定金物に備えられていて、軸体の上端面を孔の内方深くに一旦落とし込むことが必要であり、そのため、ナットを予め軸体に螺合させておくことができない。それゆえ、固定の作業においては、軸体を孔内に深く落とし込んだ後、引き上げ、その後にはじめて、ナットを軸体のネジに嵌め合わせて螺合させ、そして、ナットを回転させていくという工程を経なければならず、固定の作業がいささか厄介であった。
【０００９】
本発明は、上記のような従来の問題点に鑑み、例えば、鉄骨床梁の上フランジ上に設置した床パネルを床梁に固定するような場合において、床パネルにあけた上下方向に貫通する孔を通じて、床パネルを、その上側から、床梁の上フランジに固定することができるのはもちろん、更に、固定の作業を容易に行うことができ、しかも、取付け固定状態において座金部材からの外方への突出を小さく抑えることができる固定金物を提供することを課題する。
【００１０】
【課題を解決するための手段】
上記の課題は、金物基体の一端にフックの一端が枢着され、
フックは、金物基体に沿う退避位置から、自重により又はバネ付勢力により特定の一方向に回動して側方に開くようになされていると共に、この回動によって側方に開くとそれ以上の回動を規制されて固定されるようになされており、
この金物基体には更に、ボルトが、金物基体の他端側から軸線方向の外方に突出するよう螺合されて、このボルトの回転により、ボルト頭部と金物基体との間の間隔距離が大小変化するようになされており、
ボルトの外周部には、ボルト頭部と金物基体との間に介在して、座金部材が備えられ、フックを側方に開かせた状態で、ボルトを回転し、ボルト頭部と金物基体との間の間隔距離を小さくしていくことにより、固定する対象が、座金部材とフックとで挟み込まれるものとなされていることを特徴とする固定金物によって解決される。
【００１１】
この固定金物では、フックが、金物基体に沿う退避位置から回動して側方に開き、このフックと座金部材とで固定の対象を挟み込んで固定を行うものであるから、例えば、鉄骨床梁の上フランジ上に設置した床パネルを床梁に固定するような場合において、床パネルにあけた上下方向に貫通する孔を通じて、床パネルを、その上側から、床梁の上フランジに固定することができる。
【００１２】
のみならず、座金部材を挟んで金物基体とは反対の側には、ボルトの頭部が存在するだけであるから、座金部材から突出するのはこのボルト頭部だけであり、ボルトは金物基体の側へと螺進していくだけであり、従って、締付け固定状態において、座金部材からの外方への突出を、小さく抑えることができる。
【００１３】
しかも、このように、座金部材からの外方への突出物がボルトの頭部であることから、ボルトとして比較的長いものを使用して、これを金物基体に螺合させることができ、そのため、ボルトは、固定作業の最初から最後まで金物基体と螺合させておくことができ、固定の作業において、ボルトを金物基体に嵌め合わせて螺合させるという厄介な中間作業を省略することができて、フックを回動させて開かせた後、すぐにボルトを回転させて締め付けていくことができ、固定の作業を容易に遂行することができる。
【００１４】
上記の固定金物において、座金部材と金物基体とが、軸線方向に接近・離反自在でありながら相対的な自由回転を規制された状態となるように連結ないしは係合されている場合は、座金部材の向きを見ることで、金物基体の向きを知ることができ、ひいては、フックの向きを知ることができる。従って、フックを直接見なくとも、フックを適正な向きに向けることができる。しかも、座金部材と金物基体との自由な相対回転を規制する構成としておくことにより、ボルトの締付け過程において、金物基体がボルトと共回りしてしまうのを防ぐことができる。
【００１５】
【発明の実施の形態】
次に、本発明の実施形態を図面に基づいて説明する。
【００１６】
本実施形態の固定金物１は、図３乃至図５に示すように、鉄骨床梁２の上フランジ２ａ上に設置したＡＬＣ版などの床パネル３を、床パネル３の上側から、床梁２の上フランジ２ａに固定するのに用いられるものである。
【００１７】
床パネル３には、予め、上フランジ２ａの縁から幾分外方に離れた位置において、上下方向に貫通する円形孔４があけられている。孔４は、その上端側が径大孔部４ａに形成されていて、径大孔部４ａとそれよりも下の孔本体部４ｂとの間に、上方を向く環状の段面４ｃが備えられている。
【００１８】
図１及び図２に示す固定金物１において、５は金物基体、６はフック、７はボルト、８は座金部材である。
【００１９】
金物基体５は、金属製で、固定金物１のベースとなるものであり、床パネル３に形成されている孔４の孔本体部４ｂに通すことができるサイズに形成されている。この金物基体５は、その上半部が、側方に開放された横断面円弧状の側壁９で構成され、下半部が、同じ側方に開放された横断面コ字状の側壁１０で構成され、これら上下の半部同士が中間連接壁１１を介して一体に連接されているものである。
【００２０】
上半部の円弧状側壁９は、その横断面外周側の形状及びサイズが、床パネル３の孔４の孔本体部４ｂの内周面の形状及びサイズと概略対応するように設計されている。
【００２１】
また、上半部の円弧状側壁９の上端部には、天壁１２が備えられており、この天壁１２には、ボルト７を通す通１３が形成されていると共に、天壁１２の下面側には、ボルト７を螺合させるナット１４が備えられている。ナット１４は、ボルト７と共回りをしないように、金物基体５に固定されている。
【００２２】
更に、上半部の円弧状側壁９の周方向中央部には、座金部材８を係合、連結させるための、上下方向に延びるスリット１５が形成されている。
【００２３】
この金物基体５の下端部には、フック６が備えられている。フック６は、横断面コ字状の金属製フック本体枠１６を備え、その内部に、ゴムなどによる緩衝材１７が嵌合されて備えられている。このフック６は、フック本体枠１６の基端部の両側壁が、金物基体５の下半部のコ字状側壁１０の下端部の両側壁の内面側に重なるように組み合わされ、ピン１８で、金物基体５の下端部に枢着されている。これにより、金物基体５の下半部のコ字状側壁１０内に納まる退避位置、即ち金物基体５に沿う退避位置から、ピン１８を回動中心として特定の一方向に回動して側方に開くことができるようになっている。
【００２４】
本実施形態では、フック６の重心位置がピン１８の位置よりも開き方向に偏って位置するように設計されており、フック６が、その退避位置から、自重によって自ら側方に開くようになされている。なお、バネ付勢手段を備えさせて、フック６をこのバネ付勢手段によるバネ付勢力によって側方に開かせる構成としてもよい。フック６をバネ付勢力で開かせる構成は、フック６の自重を利用して開かせる構成との組み合わせにおいて採用されてもよいし、あるいは、自重では開かない構成において採用されてもよい。
【００２５】
そして、フック６が側方に開いて、金物基体５とフック６とで側面視Ｌ字状になった際に、それ以上にフック６が下方に回動してしまわないよう規制して固定するため、フック６のフック本体枠１６の基端部は、ピン１８の位置を越えて外方に突出１９されており、この基端突出部１９が、金物基体５のコ字状側壁１０の下端部の両側壁をつなぐ中間壁の下端面に当接されるようになっている。
【００２６】
ボルト７は、ネジ棒部７ｂの一端に、このネジ棒部７ｂよりも平面サイズの大きい回転操作用の頭部７ａを備えさせたもので、本実施形態では、六角ボルトが用いられている。このボルト７は、その頭部７ａを外に出すようにして、先端側から、金物基体５の天壁１２の通孔１３に通され、ナット１４と螺合されて、金物基体５と組み合わされている。
【００２７】
座金部材８は、平面視方形板状の座金本体部８ａを備えている。この座金本体部８ａは、その平面サイズが、床パネル３の孔４の孔本体部４ｂよりも大きく、径大孔部４ａよりも小さいサイズに設計されており、径大孔部４ａ内で、環状段面４ｃに支承されるようになっている。
【００２８】
座金本体部８ａの中心部には、ボルト７を通す通孔２０が設けられており、この通孔２０にボルト７が通されることで、座金本体部８ａは、ボルト頭部７ａと金物基体５との間に介在して固定金物１に備えられている。なお、座金本体部８ａの通孔２０の周囲には、下方に突出する筒部２１が一体成形され、この筒部２１をボルト７が支えて、座金部材８を姿勢良く保持するようになされている。
【００２９】
また、この座金本体部８ａの四隅部は、下方に屈曲されており、この屈曲部を食い込み用の爪２２…としている。この爪２２…が、ボルト７の締付け過程で、孔４内の環状段面４ｃに強く当接されることで、座金部材８がボルト７と共回りするのが防がれる。また、本実施形態では、ボルト７に対して必要な締付けトルクが導入されると、この爪２２…が、孔４内の環状段面４ｃに食い込み状態となるようにつくられており、爪２２…が食い込むのを確認することで、ボルト７に必要な締付けトルクが導入されたかどうかを知ることができるようになっている。なお、２３は、座金本体部８ａを補強するための隆起リブである。
【００３０】
そして、座金部材８の座金本体部８ａの一辺の中間部には切欠き２４が設けられ、この切欠き２４の内方部から下向きに、係合用の足８ｂが延ばされている。この足８ｂは、金物基体５の上半部の円弧状側壁９の外面部に沿う横断面円弧状の帯状板からなり、その下端部に、内向きに突出する係合突起２５が設けられている。この係合突起２５は、金物基体５のスリット１５に差し込まれ、それにより、座金部材８と金物基体５とが、上下方向に接近・離反自在でありながら、相対的な自由回転を規制された状態となるようにされている。
【００３１】
この係合突起２５は、スリット１５に差し込まれているだけの構成となされていてもよいが、スリット１５を越えて内方に突出する部分をスリット１５の幅よりも大きくするなどして、スリット１５から外に抜出されないようにしておくとよい。後者の場合は、係合突起２５をスリット１５内に位置決め状態にしっかりと保持することができる。
【００３２】
上記の固定金物１を用いることにより、床パネル３と床梁２の上フランジ２ａとは、次のようにして固定される。即ち、図４（イ）に示すように、固定金物１のボルト７を緩めて、ボルト頭部７ａと金物基体５との間隔距離を大きくしておく。もちろん、ボルト７は、金物基体５から分離させずに、金物基体５のナット１４と螺合させたままである。
【００３３】
そして、フック６を金物基体５に沿う退避位置に収めるようにして、ボルト頭部７ａなどを持ちながら、図４（ロ）に示すように、金物基体５を、床パネル３の上方から、床パネル３の孔４内に挿入していく。この挿入によって、図５（ハ）に示すように、フック６の全体が孔４よりも下方に出ると、フック６は自重により側方に開く。
【００３４】
その状態で、フック６が床梁２の下面側に突出して開いているかどうかを、座金部材８の向きを見て確認する。座金部材８は、足８ｂの先端の係合突起２５がスリット１５内に突出しており、回転方向において金物基体５と一体に動作するので、座金本体部８ａの向きを見ることで、フック６の開いた方向を知ることができる。フック６は、図１に示すように、座金本体部８ａに設けられている切欠き２４とは反対の方向に開くので、座金本体部８ａの切欠き２４の位置を見ることで、フック６が床梁２の上フランジ２ａの下面側に突出して開いているかどうかを確認することができる。
【００３５】
この確認、調整の後、図５（ニ）に示すように、ボルト頭部７ａを回転させていく。座金本体部８ａには爪２２…が設けられていて、この爪２２…が環状段面４ｃに当接するので、ボルト７の回転によって金物基体５が共回りすることはない。このボルト７の回転により、ボルト頭部７ａと金物基体５との間隔距離が狭められていき、図３に示すように、座金本体部８ａとフック６との間に、床パネル３と床梁２の上フランジ２ａとが挟み込まれ、座金本体部８ａの爪２２…が環状段面４ｃに食い込んで、床パネル３が床梁２に固定される。金物基体５の上半部は、床パネル３の孔本体部４ｂの内周形状に対応する円弧状の側壁９で構成されているから、ボルト７を締めた際に金物基体５に曲げモーメントが作用しても、孔本体部４ｂの内周壁が金物基体５を支えるため、ボルト７をしっかりと締め付けることができ、それにより、しっかりとした固定状態を得ることができる。以上のようにして、固定状態が得られる。この固定状態において、固定金物１のどの部分も床梁２の上方に突出することはない。
【００３６】
このように、上記の固定金物１によれば、床パネル３にあけた上下方向に貫通する孔４を通じて、床パネル３を、その上側から、床梁２の上フランジ２ａに固定することができるのはもちろん、ボルト７を金物基体５と螺合させたまま固定作業を行うことができて、作業の中間にボルトを金物基体５のナット１４に嵌め合わせるようにして螺合させる作業を行う必要はなく、固定作業を容易に遂行することができる。しかも、取付け固定状態において、固定金物１が床パネル３の上面から上方に突出することもない。
【００３７】
以上に、本発明の実施形態を示したが、本発明はこれに限られるものではなく、発明思想を逸脱しない範囲で、各種の変更が可能である。例えば、本発明の固定金物は、床パネルを床梁に固定する場合にのみ用いられるものではなく、その他、屋根版や、外装材、外壁版等の固定に広く用いられるものであることはいうまでもない。即ち、本発明の固定金物は、これを上下方向に向けて使用する場合の他、上下逆向きにして使用したり、横向きにして使用したりすることも可能である。上下逆向きにして使用する場合は、フックをバネ付勢力によって開き方向に付勢する構成とすることで対応は可能である。横向きの場合は、フックを下方に開かせることができるし、上方に開かせる必要がある場合は、下方に開いたフックを金物基体の半周回転で上向きにすればよいし、バネ付勢力で上向きに開かせるようにしてもよい。また、上記の実施形態では、フックが一つだけ備えられているが、複数備えさせ、複数方向に開く構成としてもよい。また、ボルトは、ネジ棒部の端部に、ネジ棒部よりも平面サイズの大きい回転操作用の頭部を備えさせたたものであればよく、ボルト頭部の形態については特段の制限はない。
【００３８】
【発明の効果】
上述の次第で、本発明は、以上のとおりのものであるから、例えば、鉄骨床梁の上フランジ上に設置した床パネルを床梁に固定するような場合において、床パネルにあけた上下方向に貫通する孔を通じて、床パネルを、その上側から、床梁の上フランジに固定することができるのはもちろん、固定の作業を容易に行うことができ、しかも、取付け固定状態において座金部材からの外方への突出を小さく抑えることができる。
【図面の簡単な説明】
【図１】実施形態の固定金物を示す分解斜視図である。
【図２】図（イ）は同断面側面図、図（ロ）は正面図である。
【図３】床パネルと床梁を固定金物で固定した状態を示す断面側面図である。
【図４】図（イ）（ロ）は、図５（ハ）（ニ）とともに固定作業を順次に示す断面側面図である。
【図５】図（ハ）（ニ）は、図４（イ）（ロ）とともに固定作業を順次に示す断面側面図である。
【符号の説明】
１…固定金物
５…金物基体
６…フック
７…ボルト
７ａ…ボルト頭部
８…座金部材
８ｂ…足
１４…ナット
１５…スリット
２５…係合突起
【図１】
0004176263.tif 000002
【図２】
0004176263.tif 000003
【図３】
0004176263.tif 000004
【図４】
0004176263.tif 000005
【図５】
0004176263.tif 000006